(57)【特許請求の範囲】
【請求項１】
内面にねじ山が設けられた第１の筒と、
前記第１の筒内に位置し、外面及び内面にねじ山が設けられ、外面に設けられたねじ山のピッチ及び螺旋方向の少なくとも一方が内面とは異なり、外面のねじ山が前記第１の筒の内面のねじ山と螺合するように形成された第２の筒と、
前記第２の筒を前記第１の筒に対して回転させるように、前記第１の筒の外面に取り付けられ、且つ、電気信号が与えられると前記第１の筒を振動させ進行波を発生させる第１群の圧電素子と、
前記第２の筒内に位置し、外面に前記第２の筒の内面のねじ山と螺合するためのねじ山が設けられた第３の筒であって、前記第３の筒の中空の部分には第１の光学レンズ群が保持され、前記第３の筒が前記第１の筒に対して径方向に固定されることにより、前記第２の筒が回転しているときに前記第２の筒の回転軸に沿って直線運動する第３の筒と、を備える可変焦点レンズ装置であって、
固定部分と可動部分とを有するボイスコイルモータをさらに備え、前記固定部分及び前記可動部分の一方は磁石を含み、他方は導体を含み、前記導体は電気信号が与えられると前記固定部分に対して直線運動するように前記可動部分を駆動し、前記固定部分が前記第１の筒に対して固定されることにより、前記可動部分の移動経路が前記第２の筒の前記回転軸に平行となり、前記可動部分には第２の光学レンズ群が取り付けられており、
且つ、少なくとも１つのロッドをさらに備え、前記ロッドは前記第１の筒に対して径方向に固定され、
前記第１の筒に対して径方向に固定された前記第３の筒の筒壁には少なくとも１つの、前記第２の筒の前記回転軸に平行な貫通孔が設けられ、前記ロッドが前記貫通孔に貫通状態で配置されることにより、前記第３の筒は前記第２の筒が回転しているときに前記ロッドに沿って直線運動し、且つ、
前記第１の筒に対して固定され、内面にねじ山が設けられた第４の筒と、
前記第４の筒内に位置し、外面及び内面にねじ山が設けられ、外面に設けられたねじ山のピッチ及び螺旋方向の少なくとも一方が内面とは異なり、外面のねじ山が前記第４の筒の内面のねじ山と螺合するように形成された第５の筒と、
前記第５の筒を前記第４の筒に対して回転させるように、前記第４の筒の外面に取り付けられ、且つ、電気信号が与えられると前記第４の筒を振動させ進行波を発生させ、前記第５の筒の回転軸と前記第２の筒の前記回転軸とは同一である第２群の圧電素子と、
前記第５の筒内に位置し、外面に前記第５の筒の内面のねじ山と螺合するためのねじ山が設けられた第６の筒であって、前記第６の筒の中空の部分には第３の光学レンズ群が保持され、前記第６の筒が前記第４の筒に対して径方向に固定されることにより、前記第５の筒が回転しているときに前記第５の筒の回転軸に沿って直線運動する第６の筒と、をさらに備え、
前記第４の筒に対して径方向に固定された前記第６の筒の筒壁には少なくとも１つの、前記第６の筒の回転軸に平行な貫通孔が設けられ、前記ロッドがこの貫通孔に貫通状態で配置されることにより、前記第６の筒は前記第５の筒が回転しているときに前記ロッドに沿って直線運動し、且つ、
第１の基体と、第２の基体と、第７の筒とをさらに備え、
前記第１の基体と前記第２の基体とにはそれぞれ位置制限孔が設けられ、
前記第７の筒の一端は前記第１の基体に固定接続され、他端は前記第２の基体に固定接続され、
前記第１の筒と前記第４の筒とは前記第７の筒内に位置し、前記第１の筒が前記第１の基体に固定され、
前記第４の筒は前記第１の筒に対して固定され、前記第４の筒は前記第２の基体に固定され、
前記ロッドは前記第１の筒に対して径方向に固定され、前記ロッドの両端はそれぞれ前記第１の基体及び前記第２の基体の前記位置制限孔に挿入または貫通状態で配置されていることを特徴とする可変焦点レンズ装置。
【請求項２】
前記ロッドは２つ設けられ、２つの前記ロッドが前記第２の筒の前記回転軸に対し対称に配置されていることを特徴とする請求項１に記載の可変焦点レンズ装置。
【請求項３】
内面にねじ山が設けられた第１の筒と、
前記第１の筒内に位置し、外面及び内面にねじ山が設けられ、外面に設けられたねじ山のピッチ及び螺旋方向の少なくとも一方が内面とは異なり、外面のねじ山が前記第１の筒の内面のねじ山と螺合するように形成された第２の筒と、
前記第２の筒を前記第１の筒に対して回転させるように、前記第１の筒の外面に取り付けられ、且つ、電気信号が与えられると前記第１の筒を振動させ進行波を発生する第１群の圧電素子と、
前記第２の筒内に位置し、外面に前記第２の筒の内面のねじ山と螺合するためのねじ山が設けられた第３の筒であって前記第３の筒が前記第１の筒に対して径方向に固定されることにより、前記第２の筒が回転しているときに前記第２の筒の回転軸に沿って直線運動する第３の筒と、
前記第３の筒内に位置し、前記第２の筒の前記回転軸に平行な光軸を有する第１の光学レンズ群と、
前記光軸に垂直な感光面を有するフォトセンサと、を備える光学結像装置であって、
ボイスコイルモータと、第２の光学レンズ群とをさらに備え、
前記ボイスコイルモータは、光路に沿って前記第１の光学レンズ群の後段に配置され、固定部分と可動部分とを備え、前記固定部分及び前記可動部分の一方は磁石を含み、他方は導体を含み、前記導体は電気信号が与えられると前記固定部分に対して直線運動するように前記可動部分を駆動し、前記固定部分が前記第１の筒に対して固定されることにより、前記可動部分の移動経路が前記第２の筒の前記回転軸に平行となり、
前記第２の光学レンズ群は、前記ボイスコイルモータの可動部分に固定され、前記第２の光学レンズ群の光軸が前記第１の光学レンズ群の光軸と同一であり、前記第１の光学レンズ群はズーミング用であり、前記第２の光学レンズ群はフォーカシング用であり、
前記フォトセンサは光路に沿って前記第２の光学レンズ群の後段に配置されており、
且つ、少なくとも１つのロッドをさらに備え、前記ロッドは前記第１の筒に対して径方向に固定され、
前記第１の筒に対して径方向に固定された前記第３の筒の筒壁には少なくとも１つの、前記第２の筒の前記回転軸に平行な貫通孔が設けられ、前記ロッドが前記貫通孔に貫通状態で配置されることにより、前記第３の筒は前記第２の筒が回転しているときに前記ロッドに沿って直線運動し、且つ、
光路に沿って前記第１の光学レンズ群の後段に配置され、前記第１の筒に対して固定され、内面にねじ山が設けられた第４の筒と、
前記第４の筒内に位置し、外面及び内面にねじ山が設けられ、外面に設けられたねじ山のピッチ及び螺旋方向の少なくとも一方が内面とは異なり、外面のねじ山が前記第４の筒の内面のねじ山と螺合するように形成された第５の筒と、
前記第５の筒を前記第４の筒に対して回転させるように、前記第４の筒の外面に取り付けられ、且つ、電気信号が与えられると前記第４の筒を振動させ進行波を発生させ、前記第５の筒の回転軸と前記第２の筒の前記回転軸とは同一である第２群の圧電素子と、
前記第５の筒内に位置し、外面に前記第５の筒の内面のねじ山と螺合するためのねじ山が設けられた第６の筒であって、前記第６の筒の中空の部分には第３の光学レンズ群が保持され、前記第６の筒が前記第４の筒に対して径方向に固定されることにより、前記第５の筒が回転しているときに前記第５の筒の回転軸に沿って直線運動する第６の筒と、
前記第６の筒内に位置し、前記第１の光学レンズ群の光軸が同一であるズーミング補償用の第３の光学レンズ群と、をさらに備え、
前記第４の筒に対して径方向に固定された前記第６の筒の筒壁には少なくとも１つの、前記第２の筒の前記回転軸に平行な貫通孔が設けられ、前記ロッドがこの貫通孔に貫通状態で配置されることにより、前記第６の筒は前記第５の筒が回転しているときに前記ロッドに沿って直線運動し、且つ、
第１の基体と、第２の基体と、第７の筒とをさらに備え、
前記第１の基体と前記第２の基体とにはそれぞれ位置制限孔が設けられ、
前記第７の筒の一端は前記第１の基体に固定接続され、他端は前記第２の基体に固定接続され、
前記第１の筒と前記第４の筒とは前記第７の筒内に位置し、前記第１の筒が前記第１の基体に固定され、
前記第４の筒は第１の筒に対して固定され、前記第４の筒は前記第２の基体に固定され、
前記ロッドは前記第１の筒に対して径方向に固定され、前記ロッドの両端はそれぞれ前記第１の基体及び前記第２の基体の前記位置制限孔に挿入または貫通状態で配置されていることを特徴とする光学結像装置。
【請求項４】
光路に沿って前記第１の光学レンズ群の前段に配置され、入射する光線の光路を曲げるための光路調整素子をさらに備えることを特徴とする請求項３に記載の光学結像装置。
【発明の詳細な説明】
【技術分野】
【０００１】
本発明は光学系の技術分野に関し、具体的には可変焦点レンズ装置及びこれに対応する光学結像装置に関する。
【背景技術】
【０００２】
デジタル画像技術の発展と普及に伴い、光学結像装置が様々なタイプの機器に幅広く応用されている。例えば、種類が非常に多い携帯機器と小型機器において、小型の光学結像装置が広く必要とされている。
【０００３】
小型の結像装置にも高精度に焦点距離を調整する能力を与えるため、ねじ山駆動の超音波モータ（ＵＳＭ；Ultra Sonic Motor）を用いて焦点距離を調整するものが開示されている（ＰＣＴ国際出願ＷＯ２００７／１１８４１８参照）。その一つの基本構造は、固定子になる外筒と回転子になる内筒を備え、内筒に光学レンズ群が設けられ、外筒に圧電素子が取り付けられ、それらの圧電素子は電気信号が与えられると外筒を振動させ進行波を発生することができ、それにより、外筒と内筒との間の螺合により内筒を回転させることによって、外筒に対する内筒の直線変位を発生させる。前記構成において、光学レンズ群が内筒とともに回転するので、このような構成において生じるズレが修正しにくくなるという問題がある。
【０００４】
前記問題を解消するため、回転子にもう一つの筒を増設したものも提出されている（出願番号２００８１０１４２７１３．６、公開番号ＣＮ１０１４２５７６２の中国特許出願を参照）。当該筒は両端に設けられた摺動溝などの手段で固定子に径方向固定されるとともに、その筒の外面のねじ山と回転子内面のねじ山との螺合により、回転子の螺旋運動を単純な直線運動に変換し、光学レンズ群を回転子内の当該筒に取り付けて（よって、その筒はレンズ筒も呼ばれる）、光軸の回転が避けられる。しかし、光学結像装置は一般的に複数の独立調整可能な光学レンズ群、例えばズーミング用のレンズ群、フォーカシング用のレンズ群などを必要とするため、前記構造を有する複数のＵＳＭの使用により構造はより複雑になる。
【発明の概要】
【０００５】
本発明は一つの観点では、内面にねじ山が設けられた第１の筒と、前記第１の筒内に位置し、外面及び内面にねじ山が設けられ、外面に設けられたねじ山のピッチ及び螺旋方向の少なくとも一方が内面とは異なり、外面のねじ山が前記第１の筒の内面のねじ山と螺合するように形成された第２の筒と、前記第２の筒を前記第１の筒に対して回転させるように、前記第１の筒の外面に取り付けられ、且つ、電気信号が与えられると前記第１の筒を振動させ進行波を発生させる第１群の圧電素子と、前記第２の筒内に位置し、外面に前記第２の筒の内面のねじ山と螺合するためのねじ山が設けられた第３の筒であって、前記第３の筒の中空の部分には第１の光学レンズ群が保持され、前記第３の筒が前記第１の筒に対して径方向に固定されることにより、前記第２の筒が回転しているときに前記第２の筒の回転軸に沿って直線運動する第３の筒と、を備える可変焦点レンズ装置であって、
固定部分と可動部分とを有するボイスコイルモータをさらに備え、前記固定部分及び前記可動部分の一方は磁石を含み、他方は導体を含み、前記導体は電気信号が与えられると前記固定部分に対して直線運動するように前記可動部分を駆動し、前記固定部分が前記第１の筒に対して固定されることにより、前記可動部分の移動経路が前記第２の筒の前記回転軸に平行となり、前記可動部分には第２の光学レンズ群が取り付けられていることを特徴とする可変焦点レンズ装置
を提供する。
【０００６】
本発明は別の観点では、前記可変焦点レンズ装置と、光学レンズ群と、フォトセンサとを備える光学結像装置を提供する。
【０００７】
本発明の具体例においては、互いに異なる光学レンズ群を駆動する、ねじ山駆動のＵＳＭとボイスコイルモータとの組み合わせ方式が採用されている。ＵＳＭにおいては、固定子に対して径方向に固定された第３の筒を回転子内に配置することにより、回転子の螺旋運動を単純な直線運動に変換する。このような組み合わせ方式の焦点距離調整構造によって、光軸の安定性を良好に維持しつつ、異なる駆動方式の組み合わせにより、異なる機能のレンズ群を一体化してこれらを好適に利用することができ、全体の構成が簡素化される。
【０００８】
以下、本発明の可変焦点レンズ装置及び光学結像装置の具体的な例示を、図面を参照しながら詳しく説明する。
【図面の簡単な説明】
【０００９】
【図１】本発明に係る光学結像装置の一つの実施例の縦断面構成模式図。
【図２】図１における一部の構造の分解斜視図。
【図３】本発明に係る光学結像装置の他の一つの実施例の縦断面構成模式図。
【図４】本発明に係る光学結像装置のさらに他の一つの実施例の縦断面構成模式図。
【発明を実施するための形態】
【００１０】
（実施例１）
本発明に係る可変焦点レンズ装置の一つの実施の形態は、図１と図２に示すように、２群の独立制御可能な焦点調整構造、即ち構造２０及び構造６０を備える。構造２０はＵＳＭ駆動を採用し、第１の筒２２と、第２の筒２３と、第１群の圧電素子２１と、第３の筒２４とを備える。構造６０はボイスコイルモータ（ＶＣＭ；Voice Coil Motor）駆動を採用している。
【００１１】
第１の筒２２の内面にはねじ山２２１が設けられている。第２の筒２３は第１の筒２２内に位置し、その外面及び内面にそれぞれねじ山２３１と２３２とが設けられている。第２の筒２３は、その外面に設けられたねじ山のピッチ及び螺旋方向の少なくとも一方が内面とは異なり、外面のねじ山２３１が第１の筒２２の内面のねじ山２２１と螺合するためのものである。第２の筒２３を第１の筒２２に対して回転させるように、第１群の圧電素子２１が、第１の筒２２の外面に取り付けられている。第１群の圧電素子２１に電気信号が与えられると第１の筒２２を振動させ進行波を発生させる。
【００１２】
第１の筒２２と、第２の筒２３と、第１群の圧電素子２１とによりねじ山駆動のＵＳＭが構成され、その分解斜視図は図２である。また、第１の筒２２は固定子とも呼ばれ、第２の筒２３は回転子とも呼ばれる。第１群の圧電素子２１は図２に示すような複数の圧電片の組（例えば圧電セラミックス製の複数の薄膜の組）でもよく、形状が正多角形であり、接着又は溶接の手段によって固定子の外面に取り付けられている。また、他の実施の形態において、圧電素子は他の形状や構成でもよく、固定子を振動させ円周方向の進行波が発生すればよいことは、言うまでもない。他の実施の形態において、固定子と回転子との相互螺合ためのねじ山の表面について耐摩耗処理を行い、または耐摩耗材料を塗布してもよい。本発明の他のねじ山による螺合に係る箇所も似たような処理を行ってもよいことは言うまでもなく、その説明は省略する。ねじ山駆動のＵＳＭについての詳しい説明は、出願番号ＷＯ２００７１１８４１８のＰＣＴ国際出願を参照できる。
【００１３】
第３の筒２４は第２の筒２３内に位置し、その外面に第２の筒２３の内面のねじ山２３２と螺合するためのねじ山２４１が設けられている。第３の筒２４が第１の筒２２に対して径方向に固定されることにより、第３の筒２４は、第２の筒２３が回転しているときに第２の筒２３の回転軸に沿って直線運動する。第３の筒２４の中空の部分は第１の光学レンズ群２５を配置されるので、第３の筒２４はレンズ筒とも呼ばれる。
【００１４】
ＶＣＭは固定部分と可動部分とを備え、その固定部分と可動部分の一方は磁石を含み、他方は導体を含む。導体は電気信号が与えられると、可動部分の移動経路が第２の筒２３の回転軸に平行となるように、固定部分に対して直線運動するように可動部分を駆動する。ＶＣＭの可動部分には第２の光学レンズ群６１が固定されている。
【００１５】
本発明の光学結像装置の一つの実施の形態は、前記実施の形態の可変焦点レンズ装置を備え、第１の光学レンズ群２５と、第２の光学レンズ群６１と、フォトセンサ１５とを含む（図１と図２を参照）。なお、第１の光学レンズ群２５は第３の筒２４内に設けられ、その光軸がＵＳＭの回転子の回転軸に平行である。第２の光学レンズ群６１は、ＶＣＭの可動部分に固定され、第２の光学レンズ群６１の光軸が第１の光学レンズ群２５の光軸と同一である。フォトセンサ１５は光路に沿って第２の光学レンズ群６１の後段に設けられ、その感光面が第１の光学レンズ群２５の光軸に垂直である。ＵＳＭはサイズが小さく、ストロークが長いという特性を有するので、第１の光学レンズ群２５をズーミングのために使用することができる。また、ＶＣＭは、技術的に成熟しており、そのストロークが短いという特徴もフォーカシングの要求を満たしているので、第２の光学レンズ群６１をフォーカシングのために使用することができる。
【００１６】
図１及び２を参照し、可変焦点レンズ装置の他の実施の形態において、さらにレンズ筒がＵＳＭの固定子に対して径方向に固定された構成を実現することができる。具体的には、少なくとも１つのロッド１０を備え、ロッド１０は第１の筒２２に対して径方向に固定されている。第３の筒２４の筒壁には少なくとも１つの、第２の筒２３の回転軸に平行な貫通孔が設けられ、ロッド１０は第３の筒２４の貫通孔に貫通状態で配置されることにより、第３の筒２４は第２の筒２３が回転しているときロッド１０に沿って直線運動する。レンズ筒は他の方式で径方向に固定されてもよく、例えば、レンズ筒両端の位置制限構造によって固定されてもよい。前記好ましい構成は、レンズ筒の筒壁を貫通状態で配置されたロッドによりレンズ筒の径方向への固定を実現するので、位置決めの構造が簡易になるとともに、レンズ筒と互いに独立していて、レンズ筒内に配置される光学レンズ群の光軸の安定性を保証しつつ、部品の製造および組立もより簡単にでき、精度の要求をより良好に満たすこともできる。
【００１７】
ロッド１０はレンズ筒を固定するという役割を担うため、少なくとも１つでその目的を図ることができるが、よりよい力平衡並びに構造の安定性及び精度を考慮すれば、回転子の回転軸に対し対称に２つのロッドを配置する（図１及び２に示すように）、或いは、複数のロッドを均一に配布してもよい。当然ながら、レンズ筒の筒壁にもこれに対応した同じ個数分の貫通孔を設けるべきである。
【００１８】
図１及び２を参照すると、可変焦点レンズ装置の他の実施の形態において、さらに以下の構成によりＵＳＭの固定子に対するレンズ筒の径方向の固定を実現することができる。具体的に、孔１１１が設けられた第１の基体１１と孔１２１が設けられた第２の基体１２とを備え、第１の基体１１と第２の基体１２とにはそれぞれ位置制限穴１１２と位置制限穴１２２が設けられ、第１の筒２２が第１の基体１１に固定され、ロッド１０の両端はそれぞれ第１の基体１１及び第２の基体１２の位置制限孔に挿入または貫通状態で配置されている。これに対応して、第１の筒２２に対して固定されたＶＣＭの固定部分の構造は、以下のとおりである。すなわち、ＶＣＭの固定部分が第３の基体１４に固定され、第３の基体１４に第２の基体１２が固定接続され、第３の基体１４がフォトセンサ１５を保持するために用いられる構成である。第１の基体１１はロッド１０と第１の筒２２との固定の基礎として役目を果たしているので、部品の製造中において設計の精度を保証しやすくなり、組立も簡易且つ確実になる。他の実施の形態において、ロッド１０は他の方式と構成で第１の筒２２に対して径方向に固定されてもよく、例えば、ロッド１０の端部を曲げて、第１の筒２２の筒壁に挿入又は溶接してもよい。
【００１９】
図１及び図２を参照すると、可変焦点レンズ装置の他の実施の形態において、組立の精度がより高くなることを保証するため、第７の筒１３が配置されている。第１の筒２２は第７の筒１３内に配置されている。第７の筒１３の一端は第１の基体１１に固定接続され、他端は第２の基体１２に固定接続されている。第７の筒１３と２つの基体との固定接続は、それぞれに第７の筒１３の端部と対応する基体とに位置決め孔と位置決め突起とをそれぞれ設け、位置決め突起を対応する位置決め孔に係合する構成とすることにより、さらに組み立てるときの精度を上げられる。
【００２０】
（実施例２）
本発明の可変焦点レンズ装置の他の１つの実施の形態について、図３を参照して説明する。前の実施の形態と比べ、当該可変焦点レンズ装置の実施の形態は、構造２０と構造６０との間に独立制御可能な焦点調整構造、即ち構造４０を追加して、より広い需要に適合するようにしたものである。
【００２１】
追加される構造４０は構造２０と似ていて、ともにＵＳＭ駆動を採用し、具体的に第４の筒４２と、第５の筒４３と、第２群の圧電素子４１と、第６の筒４４とを備える。
【００２２】
構造２０の説明のように、第４の筒４２と、第５の筒４３と、第２群の圧電素子４１とにより１つのねじ山駆動のＵＳＭが構成される。第４の筒４２はＵＳＭの固定子になり、第５の筒４３はＵＳＭの回転子になり、第６の筒４４は光学レンズ群４５を配置するための中空の部分を有するレンズ筒である。第４の筒４２は第１の筒２２に対して固定され、第５の筒４３の回転軸は第２の筒２３の回転軸と同一である。第４の筒４２と、第５の筒４３と、第２群の圧電素子４１と、第６の筒４４とのそれぞれの構成関係は、第１の筒２２と、第２の筒２３と、第１群の圧電素子２１と、第３の筒２４とのそれぞれの構成関係に対するものと同じである。注意が必要なのは、構造２０と構造４０とは、部品間の構成関係は同じであるが、部品のサイズと部品間の螺合に使用するねじ山の曲線は異なってもよく、異なる制御精度、調整速度、ストロークの長さなどの要求が満たされればよい。
【００２３】
本発明の光学結像装置の他の一つの実施の形態は、前記実施の形態の可変焦点レンズ装置を備え、ズーミング用の第１の光学レンズ群２５（構造２０によりＵＳＭ駆動される）と、フォーカシング用の第２の光学レンズ群６１（構造６０によりＶＣＭ駆動される）と、ズーミング補償のための第３の光学レンズ群４５（構造４０によりＵＳＭ駆動される）と、フォトセンサ１５とを含む（図３参照）。なお、３つの光学レンズ群の光軸は同一であり、ＵＳＭの回転子の回転軸に平行である。
【００２４】
図３を参照して、可変焦点レンズ装置の他の実施の形態は、２つのＵＳＭでの駆動構造は、ロッド１０を用いてＵＳＭの固定子に対するレンズ筒の径方向の固定を実現するという点において、実施例１で言及したＵＳＭ駆動構造と類似している。ロッド１０は、構造２０と構造４０とに共通とすることができる。１つの実施の形態において、ロッド１０は２つ設けられ、これらはＵＳＭの回転子の回転軸に対し対称に配置される。
【００２５】
図３を参照し、可変焦点レンズ装置の他の実施の形態において、さらに以下の構成によりＵＳＭの回転子に対するレンズ筒の径方向の固定を実現するこができる。具体的に、孔が設けられた第１の基体１１と、孔が設けられた第２の基体１２を備え、第１の基体１１と第２の基体１２とには位置制限穴が設けられ、第１の筒２２が第１の基体１１に固定され、第４の筒４２が第２の基体１２に固定され、ロッド１０の両端はそれぞれ第１の基体１１と第２の基体１２の位置制限孔に挿入または貫通状態で配置されている。
【００２６】
図３を参照して、可変焦点レンズ装置の他の実施の形態において、組立の精度がより良好となることを保証するため、第７の筒１３が配置されている。構造２０及び構造４０がともに第７の筒１３内に配置されている。第７の筒１３の一端は第１の基体１１に固定接続され、他端は第２の基体１２に固定接続されることにより、ロッド１０とＵＳＭの回転子の回転軸との平行性、および２つの光学レンズ群の光軸の一致をよりよく保証する。
【００２７】
（実施例３）
本発明の可変焦点レンズ装置およびこれに対応した光学結像装置の他の１つの実施の形態について、図４を参照して説明する。実施例１との比較において、本実施例には、光路調整素子が追加されている。光路調整素子は、光路において第１の光学レンズ群２５の前段に配置され、入射する光線の光路を曲げる。例えば、１つの潜望鏡構造４４が追加され、入射光が９０度曲げられてから後続の焦点調整構造に進行させるにより、携帯電話機などの機器に適用する場合に結像装置全体を横に配置することができ、結像装置全体の高さを削減して、携帯電話機などの機器への厚みに対する要求を満たすことができる。
【００２８】
以上は具体的な実施例を使って本発明の原理と実施の形態について説明したが、以上の実施の形態はあくまで本発明を理解するためのものであり、本発明はこれらの実施例に限定されるわけではないことを理解すべきであろう。当業者は、本発明の思想に基づいて前記具体的な実施の形態を変更するができる。
【図１】
0006043809.tif 000002
【図２】
0006043809.tif 000003
【図３】
0006043809.tif 000004
【図４】
0006043809.tif 000005